(57)【要約】【課題】電極組立体のタブ群とケースとの絶縁性を向上させることができる蓄電装置を提供すること。【解決手段】電極組立体２０と、ケース３０と、絶縁シート４０と、を備えた蓄電装置１０であって、絶縁シート４０は、一対の端面被覆部４１，４１と、一対の側面被覆部４３，４３と、正極タブ群２４及び負極タブ群２５を取り囲むように配置されるはみ出し部４４と、を備え、電極組立体２０を絶縁シート４０により覆った状態で、一対の端面被覆部４１，４１に連続するはみ出し部４４のそれぞれには、突出方向に沿って延び、積層方向Ｘ及び突出方向に直交する方向において、各タブ群２４，２５よりも外側に位置するように２つの山折り部５０が形成され、２つの山折り部５０の突出方向に沿って延びる頂部Ｔは、積層方向Ｘにおいて電極組立体２０の両端面から離間した位置に配置されている。【選択図】図１
2020064792.tif 000002
【特許請求の範囲】
【請求項１】
正極と負極とが積層されるとともに、積層方向の一端面にタブ群が前記積層方向に直交する方向に延在する電極組立体と、
前記電極組立体を収容する有底筒状の本体部材、前記本体部材の開口を塞ぐように設けられている蓋部材、及び前記本体部材と前記蓋部材とが溶接されている溶接部を有するケースと、
前記電極組立体と前記ケースとの間に設けられることにより前記電極組立体と前記ケースとを絶縁する絶縁シートと、を備えた蓄電装置であって、
前記絶縁シートは、前記電極組立体の前記積層方向の両端面を覆う一対の端面被覆部と、前記電極組立体の前記両端面と前記電極組立体の前記一端面とに直交する前記電極組立体の両側面を覆う一対の側面被覆部と、前記一対の端面被覆部及び前記一対の側面被覆部と連続するとともに前記電極組立体の前記両端面に沿った前記タブ群の突出方向に向かって延びることにより前記タブ群を取り囲むように配置されるはみ出し部と、を備え、
前記電極組立体を前記絶縁シートにより覆った状態で、前記一対の端面被覆部に連続する前記はみ出し部のそれぞれには、前記突出方向に沿って延び、前記積層方向及び前記突出方向に直交する方向において、前記タブ群よりも外側に位置するように２つの山折り部が形成され、
前記２つの山折り部の前記突出方向に沿って延びる頂部は、前記積層方向において前記電極組立体の前記両端面から離間した位置に配置されていることを特徴とする蓄電装置。
【請求項２】
正極と負極とが積層されるとともに、積層方向の一端面にタブ群が前記積層方向に直交する方向に延在する電極組立体と、
前記電極組立体を収容する有底筒状の本体部材、前記本体部材の開口を塞ぐように設けられている蓋部材、及び前記本体部材と前記蓋部材とが溶接されている溶接部を有するケースと、
前記電極組立体と前記ケースとの間に設けられることにより前記電極組立体と前記ケースとを絶縁する絶縁シートと、を備えた蓄電装置であって、
前記絶縁シートは、前記電極組立体の前記積層方向の両端面を覆う一対の端面被覆部と、前記電極組立体の前記両端面と前記電極組立体の前記一端面とに直交する前記電極組立体の両側面を覆う一対の側面被覆部と、前記一対の端面被覆部及び前記一対の側面被覆部と連続するとともに前記電極組立体の前記両端面に沿った前記タブ群の突出方向に向かって延びることにより前記タブ群を取り囲むように配置されるはみ出し部と、を備え、
前記電極組立体を前記絶縁シートにより覆った状態で、前記一対の端面被覆部に連続する前記はみ出し部の一方には、前記突出方向に沿って延び、前記積層方向及び前記突出方向に直交する方向において、前記タブ群よりも外側に位置するように２つの山折り部が形成され、
前記一対の端面被覆部に連続する前記はみ出し部の他方と前記タブ群との間には、前記本体部材と前記タブ群との間を絶縁する絶縁部材が設けられていることを特徴とする蓄電装置。
【請求項３】
前記タブ群は、前記正極及び前記負極に形成される同一極性同士のタブを積層することによって形成される正極タブ群及び負極タブ群により構成され、
前記２つの山折り部は、前記積層方向及び前記突出方向に直交する方向において、前記正極タブ群及び前記負極タブ群のそれぞれよりも外側に位置するように形成されていることを特徴とする請求項１又は請求項２に記載の蓄電装置。
【請求項４】
前記絶縁シートは、前記電極組立体の前記一端面と反対側の他端面を覆う底面被覆部を有し、
前記絶縁シートが展開された状態において、前記絶縁シートは、矩形状をなし、前記一対の端面被覆部、及び前記一対の端面被覆部の間に挟まれるとともに第１境界線及び第２境界線を介して前記一対の端面被覆部と連続する前記底面被覆部を有するベース部と、前記ベース部を挟み込むとともに前記第１境界線及び前記第２境界線に直交する第３境界線及び第４境界線を介して前記ベース部と連続する前記一対の側面被覆部、及び前記ベース部及び前記一対の側面被覆部に連続するとともに前記絶縁シートの外周に向けて延出している前記はみ出し部を有する延出部と、を備え、
前記電極組立体を覆っている状態から前記絶縁シートを展開したとき、前記絶縁シートの前記ベース部及び前記はみ出し部には、前記底面被覆部における前記電極組立体の前記他端面が載置される載置面と反対側から見たとき、前記２つの山折り部の頂部に沿って前記第３境界線及び前記第４境界線に平行な２本の山折り線が形成されていることを特徴とする請求項１又は請求項３に記載の蓄電装置。
【発明の詳細な説明】
【技術分野】
【０００１】
本発明は、蓄電装置に関する。
【背景技術】
【０００２】
従来、電極組立体をケースに収容することにより構成される蓄電装置が知られている（特許文献１参照）。電極組立体は、正極と負極とが積層されることにより層状をなしている。電極組立体には、積層方向の一端面にタブ群が設けられている。タブ群は、積層方向と直交する方向に延在している。タブ群には、同一極性同士を接続する導電部材が設けられている。ケースは、電極組立体を収容する有底筒状の本体部材と、本体部材の開口を塞ぐように設けられる蓋部材とを備えている。蓋部材は、本体部材に溶接されている。
【０００３】
上記の蓄電装置は、電極組立体とケースとの間を絶縁する絶縁シートを備えている。絶縁シートは、電極組立体を覆う箱状をなしている。絶縁シートは、電極組立体の積層方向の両端面を覆う一対の端面被覆部と、電極組立体の一端面と反対側の他端面を覆う底面被覆部と、電極組立体の積層方向の両端面及び電極組立体の一端面に直交する電極組立体の両側面を覆う一対の側面被覆部と、を備えている。また、絶縁シートは、電極組立体の一端面からタブ群の突出方向にはみ出したはみ出し部を備えている。はみ出し部は、一対の端面被覆部及び一対の側面被覆部に連続しており、タブ群と導電部材とを取り囲むように配置されることで電極組立体とケースとの絶縁性を向上させている。
【先行技術文献】
【特許文献】
【０００４】
【特許文献１】特許第６３１４０８６号公報
【発明の概要】
【発明が解決しようとする課題】
【０００５】
ところで、電極組立体及び絶縁シートをケースに収容した状態で、絶縁シートのはみ出し部は、ケースの本体部材と蓋部材との境目近傍まで延びている。この状態で、本体部材と蓋部材とを溶接した場合、絶縁シートが溶融してしまうことが考えられる。このとき、例えば、積層方向において、はみ出し部における電極組立体のタブ群に対向する部分が溶融してしまうと、電極組立体のタブ群とケースとの間で短絡してしまう可能性がある。
【０００６】
本発明は、このような従来の技術に存在する問題点に着目してなされたものであり、その目的は、電極組立体のタブ群とケースとの絶縁性を向上させることができる蓄電装置を提供することである。
【課題を解決するための手段】
【０００７】
上記課題を解決する蓄電装置は、正極と負極とが積層されるとともに、積層方向の一端面にタブ群が前記積層方向に直交する方向に延在する電極組立体と、前記電極組立体を収容する有底筒状の本体部材、前記本体部材の開口を塞ぐように設けられている蓋部材、及び前記本体部材と前記蓋部材とが溶接されている溶接部を有するケースと、前記電極組立体と前記ケースとの間に設けられることにより前記電極組立体と前記ケースとを絶縁する絶縁シートと、を備えた蓄電装置であって、前記絶縁シートは、前記電極組立体の前記積層方向の両端面を覆う一対の端面被覆部と、前記電極組立体の前記両端面と前記電極組立体の前記一端面とに直交する前記電極組立体の両端面を覆う一対の側面被覆部と、前記一対の端面被覆部及び前記一対の側面被覆部と連続するとともに前記電極組立体の前記両端面に沿った前記タブ群の突出方向に向かって延びることにより前記タブ群を取り囲むように配置されるはみ出し部と、を備え、前記電極組立体を前記絶縁シートにより覆った状態で、前記一対の端面被覆部に連続する前記はみ出し部のそれぞれには、前記突出方向に沿って延び、前記積層方向及び前記突出方向に直交する方向において、前記タブ群よりも外側に位置するように２つの山折り部が形成され、前記２つの山折り部の前記突出方向に沿って延びる頂部は、前記積層方向において前記電極組立体の前記両端面から離間した位置に配置されている。
【０００８】
これによれば、はみ出し部の２つの山折り部の頂部は、積層方向において電極組立体のタブ群寄りに戻り難くなっている。そのため、２つの山折り部の頂部は、電極組立体の両端面から離間した位置に保持されやすくなっている。また、はみ出し部の２つの山折り部は、はみ出し部のタブ群に対向する部分を積層方向及び突出方向に直交する方向において挟み込むように設けられる。すなわち、はみ出し部のタブ群に対向する部分は、２つの山折り部を形成することによりタブ群に近接した位置に保持されやすくなっている。
【０００９】
電極組立体と絶縁シートを本体部材に収容した状態で、蓋部材及び本体部材を溶接するとき、絶縁シートのはみ出し部の山折り部が溶融する可能性がある。しかし、はみ出し部のタブ群に対向する部分は、はみ出し部の山折り部により本体部材の内側面から離間した状態に保持されやすい。したがって、電極組立体のタブ群とケースとの絶縁性を向上させることができる。
【００１０】
上記課題を解決する蓄電装置は、正極と負極とが積層されるとともに、積層方向の一端面にタブ群が前記積層方向に直交する方向に延在する電極組立体と、前記電極組立体を収容する有底筒状の本体部材、前記本体部材の開口を塞ぐように設けられている蓋部材、及び前記本体部材と前記蓋部材とが溶接されている溶接部を有するケースと、前記電極組立体と前記ケースとの間に設けられることにより前記電極組立体と前記ケースとを絶縁する絶縁シートと、を備えた蓄電装置であって、前記絶縁シートは、前記電極組立体の前記積層方向の両端面を覆う一対の端面被覆部と、前記電極組立体の前記両端面と前記電極組立体の前記一端面とに直交する前記電極組立体の両側面を覆う一対の側面被覆部と、前記一対の端面被覆部及び前記一対の側面被覆部と連続するとともに前記電極組立体の前記両端面に沿った前記タブ群の突出方向に向かって延びることにより前記タブ群を取り囲むように配置されるはみ出し部と、を備え、前記電極組立体を前記絶縁シートにより覆った状態で、前記一対の端面被覆部に連続する前記はみ出し部の一方には、前記突出方向に沿って延び、前記積層方向及び前記突出方向に直交する方向において、前記タブ群よりも外側に位置するように２つの山折り部が形成され、前記一対の端面被覆部に連続する前記はみ出し部の他方と前記タブ群との間には、前記本体部材と前記タブ群との間を絶縁する絶縁部材が設けられている。
【００１１】
これによれば、絶縁シートの一対の端面被覆部に連続するはみ出し部の一方に設けられている２つの山折り部が形成されることにより、はみ出し部のタブ群に対向する部分の一方は、タブ群に近接した位置に保持されやすくなる。さらに、一対の端面被覆部に連続するはみ出し部の他方と、タブ群との間には絶縁部材が設けられている。そのため、はみ出し部のタブ群に対向する部分の他方が溶融したとしても絶縁部材によりケースとタブ群との間を絶縁できる。したがって、電極組立体のタブ群とケースとの絶縁性を向上させることができる。
【００１２】
上記の蓄電装置において、前記タブ群は、前記正極及び前記負極に形成される同一極性同士のタブを積層することによって形成される正極タブ群及び負極タブ群により構成され、前記２つの山折り部は、前記積層方向及び前記突出方向に直交する方向において、前記正極タブ群及び前記負極タブ群のそれぞれよりも外側に位置するように形成されているとよい。
【００１３】
これによれば、２つの山折り部によりはみ出し部における正極タブ群及び負極タブ群のそれぞれに対向する部分が溶融することを抑制できる。
上記の蓄電装置において、前記絶縁シートは、前記電極組立体の前記一端面と反対側の他端面を覆う底面被覆部を有し、前記絶縁シートが展開された状態において、前記絶縁シートは、矩形状をなし、前記一対の端面被覆部、及び前記一対の端面被覆部の間に挟まれるとともに第１境界線及び第２境界線を介して前記一対の端面被覆部と連続する前記底面被覆部を有するベース部と、前記ベース部を挟み込むとともに前記第１境界線及び前記第２境界線に直交する第３境界線及び第４境界線を介して前記ベース部と連続する前記一対の側面被覆部、及び前記ベース部及び前記一対の側面被覆部に連続するとともに前記絶縁シートの外周に向けて延出している前記はみ出し部を有する延出部と、を備え、前記電極組立体を覆っている状態から前記絶縁シートを展開したとき、前記絶縁シートの前記ベース部及び前記はみ出し部には、前記底面被覆部における前記電極組立体の前記他端面が載置される載置面と反対側から見たとき、前記２つの山折り部の頂部に沿って前記第３境界線及び前記第４境界線に平行な２本の山折り線が形成されているとよい。
【００１４】
これによれば、電極組立体を絶縁シートで覆った状態において、はみ出し部だけでなく一対の端面被覆部に対しても山折り部が形成される。はみ出し部にだけ山折り部が形成されている場合と比較すると、はみ出し部の山折り部の頂部が積層方向において電極組立体のタブ群寄りに更に戻り難くなる。よって、はみ出し部の山折り部は、はみ出し部のタブ群が対向する部分よりも本体部材の内側面寄りに突出した状態により保持されやすくなる。したがって、絶縁シートのはみ出し部における電極組立体のタブ群に対向する部分の溶融をより抑制できる。
【発明の効果】
【００１５】
この発明によれば、絶縁シートのはみ出し部における電極組立体のタブ群に対向する対向部の溶融を抑制できる。
【図面の簡単な説明】
【００１６】
【図１】蓄電装置の第１の実施形態における斜視図。
【図２】電極組立体の分解斜視図。
【図３】蓄電装置の分解斜視図。
【図４】絶縁シートの展開形状を示す正面図。
【図５】蓄電装置の第２の実施形態における断面図。
【図６】変形例における蓄電装置の斜視図。
【発明を実施するための形態】
【００１７】
＜第１の実施形態＞
以下、蓄電装置を具体化した第１の実施形態を図１〜図４にしたがって説明する。なお、本実施形態の蓄電装置は、車両（自動車及び産業用車両）に搭載されており、車両に搭載された走行用モータを駆動するのに用いられる。
【００１８】
図１に示すように、蓄電装置１０は、リチウムイオン二次電池である。蓄電装置１０は、電極組立体２０と、ケース３０と、絶縁シート４０とを備えている。ケース３０には、電極組立体２０及び絶縁シート４０が収容されている。絶縁シート４０は、電極組立体２０を覆う箱状をなしている。絶縁シート４０は、電極組立体２０を覆うように設けられることで電極組立体２０とケース３０とを絶縁している。絶縁シート４０は、樹脂等により構成されている。
【００１９】
図１及び図２に示すように、電極組立体２０は、シート状の複数の正極２１とシート状の複数の負極２２とが積層されることにより長四角柱状に構成されている。電極組立体２０は、正極２１と負極２２との間にセパレータ２３を挟み込むことにより構成されている。セパレータ２３は、電気伝導にかかるイオン（リチウムイオン）が通過可能な多孔質膜で形成されている。電極組立体２０は、一端面Ｓ２に正極タブ群２４及び負極タブ群２５を備えている。正極タブ群２４及び負極タブ群２５は、各電極２１，２２に形成される同一極性同士のタブ２４ａ，２５ａが積層されることにより構成される。正極タブ群２４及び負極タブ群２５は、電極組立体２０の積層方向Ｘの一端面Ｓ２から積層方向Ｘに直交する方向に延在している。正極タブ群２４及び負極タブ群２５には、ケース３０の外部からアクセス可能な正極端子２６及び負極端子２７と、各端子２６，２７及び各タブ群２４，２５の同一極性同士を接続する正極導電部材２８及び負極導電部材２９とが接続されている。
【００２０】
図１に示すように、ケース３０は、本体部材３１と、蓋部材３２とを有している。本体部材３１は、有底筒状をなしている。本体部材３１は、電極組立体２０を収容している。本体部材３１は、電極組立体２０が長四角柱状をなしていることに対応して内部空間が長四角筒状に形成されている。本体部材３１の大きさは、内部空間に電極組立体２０が収容された状態において電極組立体２０の外面との間に所定の隙間が形成される程度に設定されている。蓋部材３２は、本体部材３１の開口３１ａを塞ぐように設けられている。蓋部材３２は、本体部材３１の開口３１ａに溶接されている。本体部材３１と蓋部材３２との境界部分の溶接された部分を溶接部３３とする。蓋部材３２を本体部材３１に溶接させた状態で、電極組立体２０の各端子２６，２７は、蓋部材３２を貫通してケース３０の外部に露出している。このとき、各端子２６，２７と、蓋部材３２との間には絶縁リング８０が設けられている。絶縁リング８０は、蓋部材３２を貫通してケース３０の内外に位置している。絶縁リング８０が設けられることにより電極組立体２０の各端子２６，２７をケース３０の蓋部材３２との絶縁性が確保されている。
【００２１】
図１及び図３に示すように、絶縁シート４０は、一対の端面被覆部４１，４１と、底面被覆部４２と、一対の側面被覆部４３，４３とを備えている。一対の端面被覆部４１，４１は、電極組立体２０の積層方向Ｘの両端面Ｓ１を覆う部分である。底面被覆部４２は、電極組立体２０の一端面Ｓ２と反対側の他端面Ｓ３を覆う部分である。一対の側面被覆部４３，４３は、電極組立体２０の両端面Ｓ１と電極組立体２０の一端面Ｓ２とに直交する電極組立体２０の両側面Ｓ４を覆う部分である。また、絶縁シート４０は、一対の端面被覆部４１，４１と一対の側面被覆部４３，４３と連続するはみ出し部４４を備えている。はみ出し部４４は、電極組立体２０の両端面Ｓ１に沿った正極タブ群２４及び負極タブ群２５の突出方向に向かって延びている。はみ出し部４４は、正極タブ群２４、負極タブ群２５、正極導電部材２８、及び負極導電部材２９の周囲を取り囲むように配置されている。
【００２２】
電極組立体２０を絶縁シート４０により覆った状態で、絶縁シート４０の一対の端面被覆部４１，４１、及び一対の端面被覆部４１，４１に連続するはみ出し部４４のそれぞれには、２つの山折り部５０が２組形成されている。２つの山折り部５０は、電極組立体２０の両端面Ｓ１に沿った正極タブ群２４及び負極タブ群２５の突出方向に向かって延びている。２つの山折り部５０は、積層方向Ｘ及び突出方向に直交する方向において正極タブ群２４及び負極タブ群２５のそれぞれよりも外側に位置するように形成されている。すなわち、はみ出し部４４における正極タブ群２４に対向する正極対向部４５ａと、はみ出し部４４における負極タブ群２５に対向する負極対向部４５ｂとのそれぞれは、２つの山折り部５０により挟まれている。２つの山折り部５０は、突出方向に沿って延びる頂部Ｔが形成されている。２つの山折り部５０の頂部Ｔは、積層方向Ｘにおいて電極組立体２０の両端面Ｓ１から離間した位置に配置されている。２つの山折り部５０の頂部Ｔは、ケース３０の本体部材３１の内側面に接触している。正極対向部４５ａ及び負極対向部４５ｂは、積層方向Ｘにおいて、ケース３０の本体部材３１の内側面から離間し、電極組立体２０の正極タブ群２４及び負極タブ群２５寄りに配置されている。
【００２３】
図４に示すように、絶縁シート４０が展開された状態において、絶縁シート４０は、長四角状に形成されたベース部６１と、ベース部６１から絶縁シート４０の外周に向けて延出した延出部６２とからなり、全体として長四角状（矩形状）をなしている。ベース部６１は、一対の端面被覆部４１，４１及び底面被覆部４２により構成されている。一対の端面被覆部４１，４１と、底面被覆部４２とは絶縁シート４０の長辺方向に連続している。底面被覆部４２は、一対の端面被覆部４１，４１の間に挟まれている。一対の端面被覆部４１，４１はと底面被覆部４２とは第１境界線Ｂ１及び第２境界線Ｂ２を介して連続している。延出部６２は、一対の側面被覆部４３，４３及びはみ出し部４４により構成されている。一対の側面被覆部４３，４３とベース部６１とは、絶縁シート４０の短辺方向に連続している。一対の側面被覆部４３，４３は、ベース部６１を挟み込んでいる。一対の側面被覆部４３，４３と、ベース部６１とは各境界線Ｂ１，Ｂ２に直交する第３境界線Ｂ３及び第４境界線Ｂ４を介して連続している。はみ出し部４４は、ベース部６１及び一対の側面被覆部４３，４３と連続するとともに絶縁シート４０の外周に向けて延出している。はみ出し部４４は、ベース部６１の短辺及び一対の側面被覆部４３，４３の短辺から絶縁シート４０の長辺方向に向けて延出している。一対の側面被覆部４３，４３は、第１境界線Ｂ１及び第２境界線Ｂ２の延長線によって連続する３つのパーツに区分される。３つのパーツは、一対の端面被覆部４１，４１の一方の短辺に連続する一対の第１パーツ４３ａ，４３ａと、一対の端面被覆部４１，４１の他方の短辺に連続する一対の第２パーツ４３ｂ，４３ｂと、底面被覆部４２の短辺に連続する一対の第３パーツ４３ｃ，４３ｃとで構成されている。このように構成された絶縁シート４０で電極組立体２０を覆う場合、絶縁シート４０は、各境界線Ｂ１，Ｂ２を折り曲げることで電極組立体２０の両端面Ｓ１を一対の端面被覆部４１，４１により覆い、各境界線Ｂ３，Ｂ４を折り曲げることで電極組立体２０の両側面Ｓ４を一対の側面被覆部４３，４３で覆う。
【００２４】
図１及び図４に示すように、電極組立体２０を絶縁シート４０で覆った状態で、一対の側面被覆部４３，４３は、第３パーツ４３ｃが最外層に配置されるとともに第１パーツ４３ａ、第２パーツ４３ｂ、及び第３パーツ４３ｃの一部が重なるように構成されている。第１パーツ４３ａ、第２パーツ４３ｂ、及び第３パーツ４３ｃにより側面被覆部４３が形成されることにより、絶縁シート４０を展開した状態で絶縁シート４０には、各境界線Ｂ１，Ｂ２，Ｂ３，Ｂ４が互いに直交する４つの直角交点Ｐｒを起点として各直角交点Ｐｒから離間するように斜めに延びる折り曲げ線Ｊが形成される。
【００２５】
図４に示すように、電極組立体２０を覆っている状態から絶縁シート４０を展開したとき、絶縁シート４０のベース部６１及びはみ出し部４４には、絶縁シート４０の底面被覆部４２における電極組立体２０の他端面Ｓ３が載置される載置面４２ａ（図４の紙面手前側の面）と反対側から見たとき、２本の山折り線Ｌｍが２組形成されている。２本の山折り線Ｌｍは、２つの山折り部５０の頂部Ｔに沿って第３境界線Ｂ３及び第４境界線Ｂ４と平行である。２組の２本の山折り線Ｌｍのうち１組は、はみ出し部４４における正極対向部４５ａを絶縁シート４０の短辺方向において挟み込むように配置されている。２組の２本の山折り線Ｌｍのうち残りの１組は、はみ出し部４４における負極対向部４５ｂを絶縁シート４０の短辺方向において挟み込むように配置されている。
【００２６】
ここで、絶縁シート４０の折り曲げ順序について説明する。
図１及び図４に示すように、最初に、展開された状態の絶縁シート４０に対して２本の山折り線Ｌｍを２組形成する。その状態で、２本の山折り線Ｌｍが２組形成された絶縁シート４０の底面被覆部４２の載置面４２ａと電極組立体２０の他端面Ｓ３とが重なるように配置された状態で、絶縁シート４０が第１境界線Ｂ１及び第２境界線Ｂ２に沿って折り曲げられる。これにより、電極組立体２０の積層方向Ｘの両端面Ｓ１が一対の端面被覆部４１，４１によって覆われる。
【００２７】
次に、絶縁シート４０が第３境界線Ｂ３及び第４境界線Ｂ４に沿って折り曲げられる。絶縁シート４０は、第１パーツ４３ａ、第２パーツ４３ｂ、及び第３パーツ４３ｃの一部が重なるように折り曲げられる。これにより、電極組立体２０の両側面Ｓ４が一対の側面被覆部４３，４３によって覆われる。一対の側面被覆部４３，４３により電極組立体２０の両側面Ｓ４が覆われた状態で、絶縁シート４０の一対の端面被覆部４１，４１と一対の側面被覆部４３，４３とに連続するはみ出し部４４が電極組立体２０の正極タブ群２４、負極タブ群２５、正極導電部材２８、及び負極導電部材２９を取り囲むように配置される。このとき、一対の端面被覆部４１，４１、及び一対の端面被覆部４１，４１に連続するはみ出し部４４のそれぞれには、２本の山折り線Ｌｍが２組形成されている。よって、電極組立体２０を覆うように絶縁シート４０を折り曲げたとき、一対の端面被覆部４１，４１、及び一対の端面被覆部４１，４１に連続するはみ出し部４４のそれぞれには、山折り線Ｌｍにより山折り部５０が形成される。また、はみ出し部４４の正極対向部４５ａ及び負極対向部４５ｂは、積層方向Ｘにおいてケース３０の本体部材３１の内側面から離間して電極組立体２０の両端面Ｓ１寄りに配置されている。絶縁シート４０により電極組立体２０が覆われた状態となり、且つ一対の端面被覆部４１，４１及びはみ出し部４４に山折り部５０が形成されたとき、各パーツ４３ａ，４３ｂ，４３ｃが重なっている箇所と第２パーツ４３ｂとに跨るように固定テープ８１が張り付けられる。これにより、絶縁シート４０の折り曲げが完了する。
【００２８】
ここで、底面被覆部４２の絶縁シート４０の短辺方向の長さについて説明する。
展開された状態の絶縁シート４０の短辺方向において、底面被覆部４２の長さは、電極組立体２０の他端面Ｓ３における長辺よりも若干長く設定されている。これは、一対の端面被覆部４１，４１及びはみ出し部４４に対して山折り部５０が形成されているためである。例えば、底面被覆部４２と電極組立体２０の他端面Ｓ３が同じ大きさである場合を考える。本実施形態では、展開された状態の絶縁シート４０に対して山折り線Ｌｍを形成している。展開された状態の絶縁シート４０に山折り線Ｌｍを形成すると、絶縁シート４０は、山折り線Ｌｍの頂部Ｔを基準として湾曲し、底面被覆部４２の短辺が山折り線Ｌｍにより絶縁シート４０の中央部に向けて引っ張られる。よって、山折り線Ｌｍによって底面被覆部４２の絶縁シート４０の短辺方向における長さが電極組立体２０の他端面Ｓ３における長辺よりも小さくなってしまう。この状態で底面被覆部４２の載置面４２ａに電極組立体２０の他端面Ｓ３を載置したとき、電極組立体２０の両側面Ｓ４が底面被覆部４２の短辺よりも外側に位置する。そして、電極組立体２０を覆うように絶縁シート４０を折り曲げたとき、絶縁シート４０は、第３境界線Ｂ３及び第４境界線Ｂ４よりも絶縁シート４０の短辺方向の外側で折れ曲がってしまうことが考えられる。このように構成されると、絶縁シート４０の山折り部５０の形成される位置が電極組立体２０の正極タブ群２４及び負極タブ群２５に積層方向Ｘにおいて対向する位置に近づいてしまう可能性がある。したがって、絶縁シート４０の短辺方向において、底面被覆部４２の長さは、山折り部５０による絶縁シート４０の湾曲により底面被覆部４２がどの程度短くなるかを予め実験的に確認した上で設定されている。また、絶縁シート４０の短辺方向において、底面被覆部４２の長さは、山折り部５０の頂部Ｔによる絶縁シート４０の湾曲により底面被覆部４２の長さが短くなったとしても、絶縁シート４０の山折り部５０が電極組立体２０の正極タブ群２４及び負極タブ群２５に積層方向Ｘにおいて対向しないように設定されている。なお、展開された状態の絶縁シート４０に対して山折り線Ｌｍを形成することにより絶縁シート４０の短辺方向の長さも短くなることが考えられる。すなわち、側面被覆部４３の第１パーツ４３ａの一部及び第２パーツ４３ｂの一部が重なる部分が少なくなることも考えられる。しかし、絶縁シート４０の短辺方向の長さ、及び底面被覆部４２の絶縁シート４０の短辺方向における長さが山折り線Ｌｍによって短くなるにしても、その大きさは微小である。よって、側面被覆部４３の第１パーツ４３ａ及び第２パーツ４３ｂが重ならなくなることはない。したがって、山折り線Ｌｍが形成された絶縁シート４０で電極組立体２０を覆ったとき、側面被覆部４３の第１パーツ４３ａ及び第２パーツ４３ｂが重なりあっている。そのため、電極組立体２０の両側面Ｓ４とケース３０との間の短絡が発生することはなく、蓄電装置１０の性能に影響は及ぼすことはない。
【００２９】
本実施形態では以下の作用及び効果を得ることができる。
（１−１）本実施形態では、はみ出し部４４の２つの山折り部５０の頂部Ｔは、積層方向Ｘにおいて電極組立体２０の正極タブ群２４及び負極タブ群２５寄りに戻り難くなっている。そのため、２つの山折り部５０の頂部Ｔは、電極組立体２０の両端面Ｓ１から離間した位置に保持されやすくなっている。また、はみ出し部４４の２つの山折り部５０は、正極対向部４５ａ及び負極対向部４５ｂを積層方向Ｘ及び突出方向に直交する方向において挟み込むように設けられる。すなわち、はみ出し部４４の正極対向部４５ａ及び負極対向部４５ｂは、２つの山折り部５０を形成することにより正極タブ群２４及び負極タブ群２５に近接した位置に保持されやすくなっている。
【００３０】
電極組立体２０と絶縁シート４０を本体部材３１に収容した状態で、蓋部材３２及び本体部材３１を溶接するとき、絶縁シート４０のはみ出し部４４の山折り部５０が溶融する可能性がある。しかし、はみ出し部４４の正極対向部４５ａ及び負極対向部４５ｂは、はみ出し部４４の山折り部５０により本体部材３１の内側面から離間した状態に保持されやすい。したがって、電極組立体２０の各タブ群２４，２５とケースとの絶縁性を向上させることができる。
【００３１】
（１−２）本実施形態では、２つの山折り部５０により正極タブ群２４及び負極タブ群２５のそれぞれに対向するはみ出し部４４の正極対向部４５ａ及び負極対向部４５ｂが溶融することを抑制できる。
【００３２】
（１−３）本実施形態では、電極組立体２０を絶縁シート４０により覆った状態で、はみ出し部４４だけでなく一対の端面被覆部４１，４１に対しても山折り部５０が形成される。はみ出し部４４にだけ山折り部５０が形成されている場合と比較すると、はみ出し部４４の山折り部５０の頂部Ｔが積層方向Ｘにおいて電極組立体２０の各タブ群２４，２５寄りにより戻り難くなる。よって、はみ出し部４４の山折り部５０は、はみ出し部４４の正極対向部４５ａ及び負極対向部４５ｂよりも本体部材３１の内側面寄りに突出した状態により保持されやすくなる。したがって、絶縁シート４０のはみ出し部４４における正極対向部４５ａ及び負極対向部４５ｂの溶融をより抑制できる。
【００３３】
（１−４）本実施形態では、展開された絶縁シート４０のベース部６１に対して山折り線Ｌｍを形成している。そのため、はみ出し部４４のみに山折り線Ｌｍを形成している場合、もしくは一対の端面被覆部４１，４１及びはみ出し部４４にのみ山折り線Ｌｍを形成している場合と比較すると、絶縁シート４０の折り曲げを簡易的に実施することができる。
【００３４】
（１−５）本実施形態では、（１）の効果に記載したように、正極対向部４５ａ及び負極対向部４５ｂの溶融を抑制することができる。したがって、正極対向部４５ａ及び負極対向部４５ｂが溶融してしまい、ケース３０の本体部材３１と電極組立体２０の各タブ群２４，２５との短絡を抑制できる。ひいては、蓄電装置１０における電極組立体２０とケース３０との絶縁性を維持することができる。
【００３５】
（１−６）本実施形態では、絶縁シート４０の正極対向部４５ａ及び負極対向部４５ｂの溶融の抑制だけに限らず、絶縁シート４０の正極対向部４５ａ及び負極対向部４５ｂの縮みも抑制できる。絶縁シート４０の正極対向部４５ａ及び負極対向部４５ｂが蓋部材３２と本体部材３１との溶接に熱により縮む場合においても、ケース３０の本体部材３１と電極組立体２０の各タブ群２４，２５との短絡が発生する可能性がある。そのため、絶縁シート４０の正極対向部４５ａ及び負極対向部４５ｂの縮みを抑制でき、ひいては蓄電装置１０における電極組立体２０とケース３０との絶縁性を維持することができる。
【００３６】
＜第２の実施形態＞
以下、蓄電装置の第２の実施形態を図５にしたがって説明する。第１の実施形態と同様の構成については同様の符号を付し、詳細な説明は割愛する。
【００３７】
図５に示すように、電極組立体２０の一端面Ｓ２に設けられた正極タブ群２４及び負極タブ群２５は、全てのタブ２４ａ，２５ａを電極組立体２０の積層方向Ｘの一端寄りに寄せ集め、積層して構成されている。正極タブ群２４及び負極タブ群２５は、それぞれ積層方向Ｘの一端寄りに基端側曲げ部Ｒ１を備えている。基端側曲げ部Ｒ１は、正極タブ群２４及び負極タブ群２５において、積層方向Ｘの一端寄りに寄せ集められ、積層方向Ｘの一端寄りから積層方向Ｘの他端寄りに向けて折り曲げられた部分を含む。また、正極タブ群２４及び負極タブ群２５は、延出部Ｒ２を備えている。延出部Ｒ２は、基端側曲げ部Ｒ１から電極組立体２０の積層方向Ｘの他端に向けて延びる部分である。正極タブ群２４及び負極タブ群２５は、積層方向Ｘの他端寄りから積層方向Ｘの一端寄りに向けて曲げられた先端側曲げ部Ｒ３を備えている。
【００３８】
蓄電装置１０は、ケース３０内において、電極組立体２０の一端面Ｓ２と蓋部材３２の下面３２ａとの間に設けられている矩形状の絶縁カバー６０を備えている。絶縁カバー６０は、樹脂製である。絶縁カバー６０は、正極タブ群２４及び負極タブ群２５の先端側曲げ部Ｒ３寄りから装着された第１絶縁カバー６０ａと、正極タブ群２４及び負極タブ群２５の基端側曲げ部Ｒ１寄りから装着された第２絶縁カバー６０ｂとから構成されている。
【００３９】
第１絶縁カバー６０ａは、電極組立体２０の積層方向Ｘに沿って切断したときの断面がコの字形状をなす部分を有している。具体的には、第１絶縁カバー６０ａは、矩形板状の第１部位７１と、矩形板状の第２部位７２と、第１部位７１の長辺方向に沿う一辺と第２部位７２の長辺方向に沿う一辺と接続する第３部位７３とを備えている。第１部位７１及び第２部位７２は、それぞれの面が蓋部材３２の下面３２ａに沿う方向に延びている。
【００４０】
第１絶縁カバー６０ａの第１部位７１は、蓋部材３２の下面３２ａと各導電部材２８，２９との間に配置されている。第１部位７１は、各導電部材２８，２９に支持されている。第１部位７１は、電極組立体２０の一端面Ｓ２と対向する対向面から電極組立体２０に向けて突出したリブ６４を備えている。リブ６４は、蓋部材３２に向けて凹む係止凹部６４ａを備えている。第２部位７２は、電極組立体２０の一端面Ｓ２と、正極タブ群２４及び負極タブ群２５の先端側曲げ部Ｒ３との間に設けられている。第２部位７２は、第１部位７１との間に先端側曲げ部Ｒ３を挟みこむように設けられている。そのため、先端側曲げ部Ｒ３は、各導電部材２８，２９と、第２部位７２と、第３部位７３とで区画された空間に入り込んだ状態となる。第３部位７３は、正極タブ群２４及び負極タブ群２５の先端側曲げ部Ｒ３を電極組立体２０の積層方向Ｘの他端寄りから覆うように設けられている。第３部位７３は、積層方向Ｘにおいて、正極タブ群２４及び負極タブ群２５の積層方向Ｘの他端と、本体部材３１の内面との間に位置し、先端側曲げ部Ｒ３を絶縁している。
【００４１】
第２絶縁カバー６０ｂは、矩形板状の第１部位７５を備えている。第１部位７５は、蓋部材３２の下面３２ａと各導電部材２８，２９との間に配置されている。第１部位７５は、第１絶縁カバー６０ａに向けて突出した係止突出部６６を備えている。係止突出部６６は、先端部に係止爪６６ａが設けられている。係止爪６６ａは、第１絶縁カバー６０ａの係止凹部６４ａに係止可能である。
【００４２】
第１絶縁カバー６０ａと第２絶縁カバー６０ｂとは、第１絶縁カバー６０ａの係止凹部６４ａに第２絶縁カバー６０ｂの係止爪６６ａが係止されることで一体的に組付けられ、絶縁カバー６０は矩形状のカバー部材となる。
【００４３】
絶縁シート４０のはみ出し部４４は、正極タブ群２４、負極タブ群２５、正極導電部材２８、及び負極導電部材２９に加えて、絶縁カバー６０の第３部位７３を取り囲むように配置されている。はみ出し部４４は、第１絶縁カバー６０ａの第３部位７３と重なり合うことで電極組立体２０とケース３０の本体部材３１との絶縁性を向上させている。
【００４４】
また、絶縁シート４０の一対の端面被覆部４１，４１に連続するはみ出し部４４の一方には、２つの山折り部５０が設けられている。本実施形態のはみ出し部４４の一方とは、電極組立体２０の積層方向Ｘの一端寄りに設けられているはみ出し部４４を示している。２つの山折り部５０の配置については第１の実施形態と同様であるため、説明を割愛する。絶縁シート４０の一対の端面被覆部４１，４１に連続するはみ出し部４４の他方と、正極タブ群２４及び負極タブ群２５との間には、第１絶縁カバー６０ａの第３部位７３が設けられることで本体部材３１と正極タブ群２４及び負極タブ群２５とが絶縁されている。なお、第１絶縁カバー６０ａの第３部位７３は、絶縁部材の一例である。
【００４５】
本実施形態では以下の作用及び効果を得ることができる。
（２−１）本実施形態では、絶縁シート４０の一対の端面被覆部４１,４１に連続するはみ出し部４４の一方に設けられている２つの山折り部５０が形成されることにより、正極対向部４５ａの一方及び負極対向部４５ｂの一方は、各タブ群２４，２５に近接した位置に保持されやすくなる。さらに、一対の端面被覆部４１，４１に連続するはみ出し部４４の他方と、各タブ群２４，２５との間には第１絶縁カバー６０ａの第３部位７３が設けられている。そのため、正極対向部４５ａの他方及び負極対向部４５ｂの他方が溶融したとしても第３部位７３によりケース３０と各タブ群２４，２５との間を絶縁できる。したがって、電極組立体２０の各タブ群２４，２５とケース３０との絶縁性を向上させることができる。
【００４６】
なお、第１及び第２の実施形態は、以下のように変更して実施することができる。第１及び第２の実施形態及び以下の変更例は、技術的に矛盾しない範囲で互いに組み合わせて実施することができる。
【００４７】
〇  第１の実施形態では、展開された絶縁シート４０の底面被覆部４２にも山折り線Ｌｍを形成していたが、これに限らない。例えば、山折り線Ｌｍは、展開された状態の絶縁シート４０のベース部６１における一対の端面被覆部４１，４１及びはみ出し部４４にのみ形成されていてもよい。
【００４８】
〇  同様に、第２の実施形態においても山折り部５０は、展開された絶縁シート４０の一対の端面被覆部４１，４１の他方及びはみ出し部４４にのみ形成されていれもよい。
〇  第１の実施形態において、各タブ群２４，２５のそれぞれを挟みこむように山折り部５０を配置していたが、これに限らない。例えば、以下のように変更してもよい。
【００４９】
図６に示すように、複数の山折り部５０は、正極タブ群２４及び負極タブ群２５により構成されるタブ群７０を挟みこむように配置されていてもよい。具体的には、本実施形態における山折り部５０のうち絶縁シート４０における一対の側面被覆部４３，４３寄りに設けられている２つの山折り部５０のみを採用し、残りの２つの山折り部５０を割愛する構成としてもよい。なお、第２の実施形態の山折り部５０においても同様に変更してもよい。
【００５０】
〇  第１の実施形態及び上記の変更例において、２つの山折り部５０は、はみ出し部４４のみに形成されていてもよい。このように変更しても、山折り部５０により絶縁シート４０の正極対向部４５ａ及び負極対向部４５ｂの溶融を抑制できる。したがって、電極組立体２０の各タブ群２４，２５とケース３０との絶縁性を向上させることができる。
【００５１】
〇  同様に、第２の実施形態及び上記の変更例において、２つの山折り部５０は、はみ出し部４４のみに形成されていてもよい。このように変更しても、山折り部５０により絶縁シート４０の正極対向部４５ａの一方及び負極対向部４５ｂの一方の溶融を抑制できる。したがって、電極組立体２０の各タブ群２４，２５とケース３０との絶縁性を向上させることができる。
【００５２】
○  第２の実施形態において、第１絶縁カバー６０ａの第３部位７３は、正極タブ群２４及び負極タブ群２５に対向している部分のみに設けるようにしてもよい。
〇  第２の実施形態において、絶縁カバー６０は、第１絶縁カバー６０ａ及び第２絶縁カバー６０ｂにより構成されていたが、蓋部材３２と各導電部材２８，２９との間を絶縁することができればどのように変更してもよい。例えば、絶縁カバー６０を第１絶縁カバー６０ａ及び第２絶縁カバー６０ｂの２部品ではなく、１部品で構成するように変更してもよい。また、絶縁カバー６０を２部品で構成する場合、第２絶縁カバー６０ｂに対して第１絶縁カバー６０ａの第３部位７３と同様の構成を追加してもよい。
【００５３】
また、絶縁カバー６０の構造を変更するにあたって第１絶縁カバー６０ａの第２部位７２及び第３部位７３を割愛する場合を考える。その場合、電極組立体２０の各タブ群２４，２５とはみ出し部４４との間に新たに絶縁部材を設けるように変更する。絶縁部材の一例としては、蓋部材３２の下面３２ａに一体的に設けられる板状の絶縁部材を設けるように変更してもよい。この蓋部材３２は、本体部材３１の開口３１ａを塞ぐように配置されたとき、各タブ群２４，２５と本体部材３１の内面との間に配置される。
【００５４】
〇  第２の実施形態において、はみ出し部４４の一方は、電極組立体２０の積層方向Ｘの一端寄りに設けられているはみ出し部４４を示していたが、例えば電極組立体２０の積層方向Ｘの他端寄りに設けられているはみ出し部４４であってもよい。この場合、上記の変更例に記載したように、第２絶縁カバー６０ｂに対して第１絶縁カバー６０ａの第３部位７３と同等の構成を追加し、絶縁部材とする。また、絶縁シート４０の山折り部５０を設ける箇所を適宜変更する。
【００５５】
〇  電極組立体２０は、長四角柱状に限らず、矩形柱状をなしていればよい。また、電極組立体２０の形状に応じて本体部材３１の内部空間を適宜変更するとよい。
〇  一対の側面被覆部４３，４３において、第１パーツ４３ａ、第２パーツ４３ｂ、及び第３パーツ４３ｃが重なり合っている部分は、固定テープ８１が張り付けられることにより固定されていたが、例えば、接着剤や超音波を用いて溶着されていてもよい。
【００５６】
〇  絶縁シート４０は、底面被覆部４２を備えていたが、これに限らない。例えば、絶縁シート４０を一対の端面被覆部４１，４１及び一対の側面被覆部４３，４３で構成され、底面被覆部４２を割愛した構成としてもよい。この場合であっても、本実施形態及び上記の変更例に記載した山折り部５０をはみ出し部４４に形成する。そして、好ましくは、電極組立体２０の他端面Ｓ３を覆うように別部材の絶縁体を底面被覆部４２が割愛された代替として採用し、電極組立体２０の他端面Ｓ３と本体部材３１の内底面との間を絶縁するようにするとよい。
【００５７】
〇  蓄電装置１０は、リチウムイオン二次電池に限らず、ニッケル水素電池等の他の二次電池でもよい。
〇  蓄電装置１０は、二次電池に限らず、例えば、電気二重層キャパシタやリチウムイオンキャパシタ等のキャパシタであってもよい。
【００５８】
〇  蓄電装置１０は、車両の走行モータの駆動に用いられるものに限定していたが、これに限らず、例えばその他蓄電された電気を使用するユニットに用いられるものであれば使用用途は適宜変更できる。
【符号の説明】
【００５９】
１０…蓄電装置、２０…電極組立体、２１…正極、２２…負極、２４…正極タブ群、２５…負極タブ群、３０…ケース、３１…本体部材、３１ａ…本体部材の開口、３２…蓋部材、３３…溶接部、４０…絶縁シート、４１…端面被覆部、４２…底面被覆部、４２ａ…載置面、４３…側面被覆部、４３ａ…第１パーツ、４３ｂ…第２パーツ、４３ｃ…第３パーツ、４４…はみ出し部、５０…山折り部、６１…ベース部、６２…延出部、７０…タブ群、Ｘ…積層方向、Ｓ１…両端面、Ｓ２…一端面、Ｓ３…他端面、Ｓ４…両側面、Ｂ１…第１境界線、Ｂ２…第２境界線、Ｂ３…第３境界線、Ｂ４…第４境界線、Ｌｍ…山折り線、Ｔ…頂部。
【図１】
2020064792.tif 000003
【図２】
2020064792.tif 000004
【図３】
2020064792.tif 000005
【図４】
2020064792.tif 000006
【図５】
2020064792.tif 000007
【図６】
2020064792.tif 000008